【手続補正書】
【提出日】令和2年11月12日(2020.11.12)
【手続補正１】
【補正対象書類名】特許請求の範囲
【補正対象項目名】全文
【補正方法】変更
【補正の内容】
【特許請求の範囲】
【請求項１】
１つ又は複数のユーザ装置を制御するためのリモートコントロール装置であって、前記リモートコントロール装置は、ユーザから入力を受け取るための入力手段と、制御のために前記１つ又は複数のユーザ装置に制御コマンドを送信するための送信器と、前記ユーザ装置から１つ又は複数の光信号を受信するための指向性光センサと、プロセッサと、を備え、前記プロセッサは、前記ユーザ装置の少なくとも１つを識別するために、
受信された前記光信号の少なくとも１つを、前記ユーザ装置の少なくとも１つに関連付けるために分析し、
前記１つ又は複数の光信号は、所定の受信器クロックでサンプリングされることになる信号部分を構成するハイ信号状態及びロー信号状態を有し、各光信号は信号部分の信号パターンを含み、前記信号パターンは前記ユーザ装置の１つを一意に識別し、
各信号部分は、ロー期間中の少なくとも１つのロー信号状態と、ハイ期間中の少なくとも１つのハイ信号状態とを含み、前記ロー期間及びハイ期間は細分長さを有し、異なる細分長さは異なる信号部分タイプを決定し、
各細分長さは、送信器クロックの整数個分のクロック周期であり、前記送信器クロックは、前記所定の受信器クロックに対するクロック比を有し、前記クロック比は１より大きい数であり、少なくとも１つの細分長さは、前記所定の受信器クロックの整数個分のクロック周期よりも前記所定の受信器クロックの前記クロック周期のある割合だけ長く、
前記プロセッサはさらに、前記関連付けのために、
前記細分長さを検出することと、前記信号パターンを取得するため各信号部分をその信号部分の信号部分タイプに関連付けることとに基づいて、前記信号部分を復号する、リモートコントロール装置。
【請求項２】
前記異なる信号部分タイプを決定するために前記信号部分で使用される前記異なる細分長さは、前記所定の受信器クロックの非連続数個のクロック周期のシーケンスに対応する、選択された長さのみを含み、
前記プロセッサはさらに、前記シーケンス中で欠落している数に対応する長さを検出するとエラーを検出する、請求項１に記載のリモートコントロール装置。
【請求項３】
前記プロセッサは、検出された長さをそれぞれの公称長さに復号する予想値の範囲を有する前記信号部分を復号し、前記予想値の範囲は、最も短いハイ期間又はロー期間に対しては２つの値を有し、少なくとも１つのより長いハイ期間又はロー期間については少なくとも３つの値を有する、請求項１又は２に記載のリモートコントロール装置。
【請求項４】
前記プロセッサは、
信号部分ごとに前記ハイ期間の長さを検出するか、若しくは、信号部分ごとに、前記ハイ期間の長さを検出し、それとは別に、隣接するロー信号期間の長さを検出することにより、又は
信号部分ごとに前記ハイ期間の長さを検出することと、その前の及び／又は後のロー信号期間の長さを検出することとを組み合わせて行うことにより、
前記信号部分を復号する、請求項１から３のいずれか一項に記載のリモートコントロール装置。
【請求項５】
前記指向性光センサは、到来方向、又は受信された光信号の到来方向間の差異を検出し、前記プロセッサは、受信された前記光信号の少なくとも１つを分析のために選択し、前記選択は、受信された前記光信号の検出された到来方向に依存する、又は
前記指向性光センサは、複数の光信号を複数の方向から受信し、前記プロセッサは、それぞれの信号パターンを並行して取得し、到来方向と取得された前記信号パターンとの組み合わせに基づいて関心対象の信号を選択する、請求項１から４のいずれか一項に記載のリモートコントロール装置。
【請求項６】
それぞれの異なるコードシステムに応じたそれぞれの信号パターンを含む前記１つ又は複数の光受信信号に対処するために、各コードシステムは、データワードの境界を表すそれぞれの異なる同期信号部分タイプを有し、
前記プロセッサは、前記それぞれの同期信号部分に基づいて前記コードシステムのそれぞれを検出し、その後、前記コードシステムのそれぞれに従って前記信号部分を復号する、請求項１から５のいずれか一項に記載のリモートコントロール装置。
【請求項７】
請求項１から６のいずれか一項に記載のリモートコントロール装置を用いて操作されるユーザ装置であって、前記ユーザ装置は、
前記ユーザ装置を制御するための前記リモートコントロール装置からの制御コマンドを受信するための受信器と、
光信号を送信するための光送信器と、
所定の受信器クロックでサンプリングされることになる信号部分を構成するハイ信号状態及びロー信号状態を有するように前記光信号を変調するために、前記光送信器と協働する変調器と、
前記信号部分から構成される信号パターンに従った前記光信号の変調を可能にするために前記変調器と協働するコントローラと、
を備え、前記信号パターンは前記ユーザ装置を一意に識別し、
各信号部分は、ロー期間中の少なくとも１つのロー信号状態と、ハイ期間中の少なくとも１つのハイ信号状態とを含み、前記ロー期間及びハイ期間は細分長さを有し、異なる細分長さは異なる信号部分タイプを決定し、
各細分長さは、送信器クロックの整数個分のクロック周期であり、前記送信器クロックは、前記所定の受信器クロックに対するクロック比を有し、前記クロック比は１より大きい数であり、少なくとも１つの細分長さは、前記所定の受信器クロックの整数個分のクロック周期よりも前記所定の受信器クロックの前記クロック周期のある割合だけ長い、ユーザ装置。
【請求項８】
各信号部分は、ロー期間中の先頭又は末尾にある１つのロー信号状態と、ハイ期間中の１つのハイ信号状態とから構成され、前記異なる信号部分タイプは、データワードのうち２ビットの異なる値を各々が表す４つのデュオビットタイプと、前記データワードの境界を表す１つの同期タイプとを含む、請求項７に記載のユーザ装置。
【請求項９】
前記クロック比は２であり、
前記ロー期間の前記細分長さは、前記送信器クロックの３クロック周期を含み、
前記ハイ期間の前記細分長さは、データ信号部分タイプについては前記送信器クロックの３、９、１６、及び２４クロック周期を含み、
前記ハイ期間の前記細分長さは、前記データワードの境界を表す同期信号部分タイプについては前記送信器クロックの３３クロック周期を含む、請求項７又は８に記載のユーザ装置。
【請求項１０】
前記クロック比は２であり、
前記ロー期間の前記細分長さは、前記送信器クロックの３及び７クロック周期を含み、
前記ハイ期間の前記細分長さは、データ信号部分タイプについては前記送信器クロックの３及び７クロック周期を含み、
前記ハイ期間の前記細分長さは、前記データワードの境界を表す同期信号部分タイプについては前記送信器クロックの１１クロック周期を含む、請求項７又は８に記載のユーザ装置。
【請求項１１】
少なくとも１つの請求項１から６のいずれか一項に記載のリモートコントロール装置と、少なくとも１つの請求項７から１０のいずれか一項に記載のユーザ装置とを備える、システム。
【請求項１２】
リモートコントロール装置内で１つ又は複数のユーザ装置を識別するための光信号を分析する方法であって、
前記リモートコントロール装置は、前記ユーザ装置から１つ又は複数の光信号を受信するため、及び受信された前記光信号の到来方向を検出するための指向性光センサを備え、
前記方法は、
前記指向性光センサを使用して、前記ユーザ装置から１つ又は複数の光信号を受信し、受信された前記光信号の到来方向を検出するステップと、
受信された前記光信号の少なくとも１つを、前記ユーザ装置の少なくとも１つに関連付けるために分析するステップと、
を有し、
前記１つ又は複数の光信号は、所定の受信器クロックでサンプリングされることになる信号部分を構成するハイ信号状態及びロー信号状態を有し、各光信号は信号部分の信号パターンを含み、前記信号パターンは前記ユーザ装置の１つを一意に識別し、
各信号部分は、ロー期間中の少なくとも１つのロー信号状態と、ハイ期間中の少なくとも１つのハイ信号状態とを含み、前記ロー期間及びハイ期間は細分長さを有し、異なる細分長さは異なる信号部分タイプを決定し、
各細分長さは、送信器クロックの整数個分のクロック周期であり、前記送信器クロックは、前記所定の受信器クロックに対するクロック比を有し、前記クロック比は１より大きい数であり、少なくとも１つの細分長さは、前記所定の受信器クロックの整数個分のクロック周期よりも前記所定の受信器クロックの前記クロック周期のある割合だけ長く、
前記方法は、前記関連付けのために、
前記細分長さに基づいて前記信号部分を認識し、前記信号パターンをそこから取得するために各信号部分をその信号部分の信号部分タイプに関連付けるステップ
をさらに有する、方法。
【請求項１３】
光送信器と、前記光送信器と協働する変調器とを備えるユーザ装置を識別するための光信号を作成する方法であって、前記方法は、
信号部分の信号パターンに従った前記光信号の変調を可能にするために前記変調器にデータ信号を提供するステップであって、前記信号パターンは前記ユーザ装置を一意に識別する、ステップと、
所定の受信器クロックでサンプリングされることになる前記信号部分を構成するハイ信号状態及びロー信号状態を有するように、前記変調器を使用して前記光信号を変調するステップと、
を有し、
各信号部分は、ロー期間中の少なくとも１つのロー信号状態と、ハイ期間中の少なくとも１つのハイ信号状態とを含み、前記ロー期間及びハイ期間は細分長さを有し、異なる細分長さは異なる信号部分タイプを決定し、
各細分長さは、送信器クロックの整数個分のクロック周期であり、前記送信器クロックは、前記所定の受信器クロックに対するクロック比を有し、前記クロック比は１より大きい数であり、少なくとも１つの細分長さは、前記所定の受信器クロックの整数個分のクロック周期よりも前記所定の受信器クロックの前記クロック周期のある割合だけ長い、方法。
【請求項１４】
コンピュータプログラムを備えた一時的又は非一時的なコンピュータ可読媒体であって、前記コンピュータプログラムは、請求項１２又は１３に記載の方法をプロセッサシステムに行わせる命令を含む、一時的又は非一時的なコンピュータ可読媒体。